(57)【要約】【課題】除雪具を容易に方向転換することができ、ハンドルの長さ等を作業者の体格に合わせて調整することができ、作業者の負担を軽減することができる除雪具を提供する。【解決手段】ブレード１と、１対のハンドル２と、１対の車輪３と、車軸４と棒状体５から構成されるＴ型フレーム６と、交差支柱７と、から構成され、ハンドル部分とブレード１とが独立した動きをすることによって、除雪具１００の方向転換が容易となる。また、棒状体５に備えられた摺動部９によってハンドル２の高さを調整し、作業者の体格に合わせて固定することが可能となる。その結果、作業者の負担を軽減することができる。【選択図】図１
0003121758.tif 000002
【実用新案登録請求の範囲】
【請求項１】
両端に１対の車輪を支持する車軸と当該車軸の略中央に固設された棒状体とから構成され、当該棒状体上で位置決め可能な摺動部が備えられたＴ型フレームと、
前記車軸の両端に支持された１対の車輪と、
前記棒状体の先端に取付けられたブレードと、
前記摺動部に取付けられた１対のハンドルと、
を有することを特徴とする除雪具。
【請求項２】
前記車軸と前記ハンドルとで支持され、互いに交差する１対の交差支柱を有することを特徴とする請求項１記載の除雪具。
【請求項３】
前記ハンドルの上部には、上部支柱が取付けられていることを特徴とする請求項１又は２記載の除雪具。
【考案の詳細な説明】
【技術分野】
【０００１】
本考案は、除雪具に関し、特に、取り扱いが容易で、多大な労力を要せずに広範囲の雪を除けることができる除雪具に関する。
【背景技術】
【０００２】
従来より、積雪地帯において除雪作業は多大な労力と時間を要する作業である。そして、除雪作業をするための除雪具といえば、雪を掻き分けて除雪を行うスコップタイプの除雪具や、スコップ状のブレードを押して雪を集め、反転させて雪を捨てる除雪具などが一般的である。しかし、前者は、スコップに雪を乗せて投げ捨てることの繰り返しであり、後者は、雪を捨てるたびに除雪具を持ち上げなければならず、多大な労力を要する。一方、除雪用の機械は労力を要しないが、これらの機械は高価である上に、機械自体が大きく重いものとなるために使用方法や手入れ等が煩雑であり、さらに、使用の際に燃料を必要とするため、一般向きとは言い難い。
【０００３】
そこで、車輪を回転自在に支持する車軸を支持するフレームを左右対称に併設した２輪車からなる除雪具であって、車輪の前方に位置するフレームに略矩形状のブレード（スクレーパー）を起立状態に取り付けるとともに左右のフレームの後端部同士を連結する連結板の中央部に斜め後方の上方に向けて立ち上がるハンドル（ステー）を設けた除雪具が公開されている（特許文献１参照）。２輪車とすることで、ブレード（スクレーパー）の下端部が左右のいずれかに傾き接地して抵抗を生ずることがなく、安定しており、また、ブレード（スクレーパー）の横幅を広くすることもでき、幅広く雪を寄せることが可能となり、効率的な除雪作業を行うことができる。
【０００４】
【特許文献１】特開２００５−１８８０９８号公報（段落番号［０００７］）
【考案の開示】
【考案が解決しようとする課題】
【０００５】
しかしながら、特許文献１に開示された除雪具は、除雪具本体とブレードとが一体となっており、ハンドルを動かすと同時にブレードも動くものであるため、直進させることは容易であるが、除雪具の向きを変えることは困難であった。特に、ブレードにある程度の雪が集積された状態で、雪を捨てるためにブレードの角度を変える際には、ブレードに集積された雪の重みがそのままハンドルにかかってくるため、作業者にとっては大変な負担になるといった問題がある。
【０００６】
また、ハンドルの長さや角度が一定であるため、作業者の体格によっては前屈みにならなければならなかったり、身長に対してハンドルが長すぎたりして扱いづらい、といった問題がある。
【０００７】
本考案は、以上の点に鑑みてなされたものであり、その目的は、除雪具を容易に方向転換することができ、ハンドルの長さ等を作業者の体格に合わせて調整することができ、作業者の負担を軽減することができる除雪具を提供することにある。
【課題を解決するための手段】
【０００８】
以上のような課題を解決するために、本考案は、以下のものを提供する。
【０００９】
（１）  両端に１対の車輪を支持する車軸と当該車軸の略中央に固設された棒状体とから構成され、当該棒状体上で位置決め可能な摺動部が備えられたT型フレームと、前記車軸の両端に支持された１対の車輪と、前記棒状体の先端に取付けられたブレードと、前記摺動部に取付けられた１対のハンドルと、を有することを特徴とする除雪具。
【００１０】
本考案によれば、両端に１対の車輪を支持する車軸とその車軸の略中央に固設された棒状体とから構成され、その棒状体上で位置決め可能な摺動部が備えられたT型フレームと、車軸の両端に支持された１対の車輪と、棒状体の先端に取付けられたブレードと、摺動部に取付けられた１対のハンドルと、を有することとしたから、作業者の負担を軽減することができ、広範囲の雪を容易かつ効率的に除雪することができる。
【００１１】
すなわち、本考案に係る除雪具は、Ｔ型フレームの棒状体の先端にブレードが取り付けられており、ハンドル部分とブレードとが独立した動きをするため、除雪具を前方に押動したときに、ブレードに集積された雪の重さを感じることなく、ハンドルを自由な角度へ動かすことができ、除雪具の方向転換が容易になる。したがって、ブレードの大きさを大きいものとすることができ、より広範囲の雪を効率的に除雪することができる。また、地面の傾斜や凹凸に合わせて自動的にブレードの角度が変化することにより、地面に雪をほとんど残すことなく除雪することができる。
【００１２】
また、簡素な構成となっているため重量が軽く取り扱い易い。さらに車軸に備えられた車輪が地面の上で転がることによって動きが軽くなり、少しの労力で除雪具を押動することができるため、作業者の負担を軽減することができる。
【００１３】
また、棒状体に備えられた摺動部をスライドさせることによって、ハンドルの高さを調整して固定することができ、ハンドルを最も作業のし易い高さにして使用することができ、作業者の負担をさらに軽減することができる。
【００１４】
（２）  前記車軸と前記ハンドルとで支持され、互いに交差する１対の交差支柱を有することを特徴とする除雪具。
【００１５】
本考案によれば、車軸とハンドルとで支持され、互いに交差する１対の交差支柱を有することとしたから、車軸とハンドルとがしっかりと固定され、除雪具を前方に押動した時にハンドルにかかる負担を軽減することができ、また、車輪近くの車軸が支持されるので車軸がぶれることもなく、より安定して使用することができる。従って、除雪具の強度、及び、安定性を高めることができ、ひいては作業者の負担をさらに軽減することができる。
【００１６】
（３）  前記ハンドルの上部には、上部支柱が取付けられていることを特徴とする除雪具。
【００１７】
本考案によれば、ハンドルの上部には、上部支柱が取り付けられていることとしたから、除雪具を前方に押動した時にハンドル上部にかかる負担を軽減することができる。従って、ハンドル上部に大きな力がかかってもハンドルの変形や破損を防止することができ、除雪具の強度を高めることができる。
【考案の効果】
【００１８】
以上説明したように、本考案は、Ｔ型フレームによってハンドル部分とブレードとが独立した動きをするために、除雪具の方向転換が容易となり、より広範囲の雪を、効率的に、地面に雪をほとんど残すことなく除雪することができる。また、簡素な構成であり、車輪を備えているため、少しの労力で除雪具を押動することができる。さらに、摺動部をスライドさせることによって、ハンドルを最も作業のし易い高さにして使用することができ、作業者の負担を軽減することができる。
【考案を実施するための最良の形態】
【００１９】
以下、本考案を実施するための最良の形態について、図面に基づいて説明する。
【００２０】
［外観構成］
図１は、本考案の実施の形態に係る除雪具１００の斜視図を示す図であり、図２は、本考案の実施の形態に係る除雪具１００の背面を示す図である。
【００２１】
図１及び図２において、本実施の形態に係る除雪具１００は、主に、ブレード１と、１対のハンドル２と、１対の車輪３と、車軸４と棒状体５から構成されるＴ型フレーム６と、交差支柱７と、から構成されている。
【００２２】
Ｔ型フレーム６は、両端に１対の車輪３を支持する車軸４の略中央に、棒状体５を固設して形成されている。棒状体５の先端には、ロックプレート８を用いて、ブレード１が取り付けられている。ロックプレート８を用いて、棒状体５とブレード１とがしっかり固定する程度にボルト締めすることにより、ブレード１の動きに遊びを残し、使用時にブレード１の角度を変化させることができる。この遊びによって、ハンドル部分とブレード１とが独立した動きをするため、ブレード１に雪が多く集積されている場合であっても、その重さを感じることなくハンドル２を自由な角度へ動かすことができ、除雪具１００の方向転換が容易となる。したがって、ブレード１の大きさを大きいものとしても容易に取り扱うことができ、より広範囲の雪を効率的に除雪することができる。また、地面の傾斜や凹凸に合わせて自動的にブレード１の角度が変化するため、除雪具１００の角度に注意を払わなくても、地面に雪をほとんど残すことなく除雪することができる。
【００２３】
ブレード１の材質は、軽量スチールであり、このような軽い材質とすることによって、除雪具１００を軽量化することができ、作業者への負担を軽減することができる。なお、ブレード１の材質としては、軽量で、かつ丈夫なものであればどのような材質としてもよく、プラスチック、アルミニウム、チタン、合成樹脂などを用いることができる。
【００２４】
また、車軸４の両端に支持された車輪３によって、除雪具１００は大きな力を加えることなく地面の上をスムーズに動き、作業者の負担をさらに軽減することができる。
【００２５】
図３は図１のＸ部分を拡大した斜視図である。
【００２６】
図３（ａ）において、Ｔ型フレーム６の棒状体５には摺動部９が備えられ、摺動部９には１対のハンドル２が取り付けられている。摺動部９を棒状体５上でスライドさせて、ハンドル２の高さを調整して固定することにより、ハンドル２を最も作業のし易い高さにして使用することができる。例えば、ハンドル２の高さが低い場合には、摺動部９を車軸４側へスライドさせてハンドル２を高くすることができる（図３（ｂ））。また、ハンドル２の高さが高い場合には、摺動部９をブレード１側へスライドさせてハンドル２を低くすることができる。ハンドル２の高さを調整することにより、作業者の負担をさらに軽減することができる。
【００２７】
ハンドル２は、上ハンドル２ａと下ハンドル２ｂの２本で構成されており、ハンドル２中央部のプレート１０に接合具１１で固定されている。ハンドル２の中間にプレート１０を取り付けることにより、ハンドル２の強度を高め、作業時にかかる負荷によってハンドル２が変形・破損するのを防ぐことができる。また、プレート１０と接合具１１とで２重に固定することにより、上下ハンドルをしっかりと固定することができる。なお、ハンドル２は、上ハンドル２ａと下ハンドル２ｂの２本構成ではなく、１本であってもよいし、３本以上としてもよい。
【００２８】
また、ハンドル２の上部には、上部支柱１２が取り付けられている。ハンドル２は、プレート１０よりも上部は棒状になっており、作業時にこの部分に強い負荷がかかると変形してしまうおそれがある。ハンドル２の上部に上部支柱１２を取り付けることにより、ハンドル２の強度を高め、ハンドル２の上部が変形するのを防ぐことができる。
【００２９】
ハンドル２の上端にはグリップ１３が取り付けられている。グリップ１３は作業時に手で握る部分である。グリップ１３はゴム等の材質でできており、軍手やグローブ等をはめた状態での作業であっても手が滑ることなく、作業を容易にすることができる。なお、グリップ１３は、握る手が滑るのを防止することができるものであればどのような材質、形状であってもよく、合成樹脂やプラスチック等の素材を用いたり、表面に凹凸を形成して手が滑るのを防止することとしてもよい。
【００３０】
交差支柱７は、車軸４とハンドル２とで支持され、互いに交差して取り付けられている。交差支柱７の下端は、車軸４の車輪３のすぐ内側の部分に固定され、上端は、ハンドル２の中央部分に、ハンドル２とプレート１０と接合具１１と同時に固定されている。交差支柱７を取り付けることにより、除雪具を使用するときにハンドルの下部にかかる負担を軽減することができ、除雪具の強度を高めることができる。また、車輪３のすぐ内側の車軸４を支持するため、除雪具を前方に押動した時に車軸がぶれることなく、より安定して使用することができ、作業者の負担をさらに軽減することができる。
【００３１】
図４は、本実施の形態に係る除雪具１００を分解した様子を示す分解斜視図である。以下、図４を用いて、除雪具１００の組み立て方法を説明する。
【００３２】
まず、上ハンドル２ａの上端（曲折している側）にグリップ１３をねじ込むようにして挿入する。プレート１０に、上ハンドル２ａの下端と下ハンドル２ｂの上端とを、接合具１１を介して取り付ける。このとき、プレート１０、上ハンドル２ａ又は下ハンドル２ｂ、接合具１１の各々の挿入孔にボルト１４を通し、下ハンドル２ｂ側にのみ、ナット１５を仮止めしておく。
【００３３】
次いで、２本の交差支柱７を交差させ、略中央部分の挿入孔にボルト１４を通し、ナット１５で仮止めする。交差支柱７の下端の差入穴１６に、Ｔ型フレーム６の車軸４を通した後、交差支柱７の上端の挿入孔に、プレート１０、上ハンドル２ａ、接合具１１の挿入孔に通されたボルト１４を通し、ナット１５で仮止めする。
【００３４】
次いで、上部支柱１２を上ハンドル２ａの上部に、ボルト１４とナット１５で取り付け、仮止めしてあった全てのボルトをしっかりと締める。
【００３５】
次いで、Ｔ型フレーム６の棒状体５の先端にブレード１を取り付ける。ブレード１とロックプレート８の間に棒状体５の先端を置き、ボルト１４とナット１５で固定する。このとき、ボルト１４とナット１５は締めすぎず、ロックプレート８がしっかりと固定される程度に締めて、多少の遊びを残しておく。
【００３６】
次いで、車軸４に車輪３を取り付ける。最後に、Ｔ型フレーム６の棒状体５に、摺動部９を取り付け、下ハンドル２ｂの下端を六角ボルト１７で仮止めする。ハンドル２を作業しやすい高さに調整した後に、六角ボルト１７をしっかりと締める。このようにして、除雪具１００を組み立てることができる。
【００３７】
［除雪動作］
図５は、本考案の実施の形態に係る除雪具１００を使用した除雪作業の様子を示す図である。
【００３８】
図５において、作業者は、除雪具１００を押動して、道路に堆積した雪を集積している様子を示している。除雪具１００のブレード１に集積された雪は、作業者がハンドル２の向きを変えることによってブレード１の角度が変えられ、道路脇に除雪される。作業者は、ブレード１に集積された雪の重みを感じることなく、容易にハンドル２の向きを変えることができるため、大きな労力を必要とすることなく、除雪作業を行うことができる。
【００３９】
以上説明したように、本実施形態に係る除雪具によれば、除雪具の方向転換が容易となり、より広範囲の雪を効率的に除雪することができる。さらに、軽量かつ強度が強く、車輪を備えた除雪具を用いて、作業者が使用しやすい高さにハンドルを調整して作業を行うことができるため、作業者の負担を軽減することができる。
【産業上の利用可能性】
【００４０】
本考案に係る除雪具は、より広範囲の雪を効率的に除雪することができ、除雪作業に関する作業者の負担を軽減しうるものとして有用である。
【図面の簡単な説明】
【００４１】
【図１】本考案の実施の形態に係る除雪具の斜視図を示す図である。
【図２】本考案の実施の形態に係る除雪具の背面を示す図である。
【図３】図１のＸ部分を拡大した斜視図である。
【図４】本実施の形態に係る除雪具を分解した様子を示す分解斜視図である。
【図５】本考案の実施の形態に係る除雪具を使用した除雪作業の様子を示す図である。
【符号の説明】
【００４２】
１  ブレード
２  ハンドル
３  車輪
４  車軸
５  棒状体
６  Ｔ型フレーム
７  交差支柱
８  ロックプレート
９  摺動部
１０  プレート
１１  接合具
１２  上部支柱
１３  グリップ
１４  ボルト
１５  ナット
１６  差入穴
１７  六角ボルト
１００  除雪具
【図１】
0003121758.tif 000003
【図２】
0003121758.tif 000004
【図３】
0003121758.tif 000005
【図４】
0003121758.tif 000006
【図５】
0003121758.tif 000007